(57)【要約】【課題】フィッシング詐欺へと繋がり得る、悪意がある制作者によるアプリケーションのダウンロードを抑制する。【解決手段】携帯電話機１は、制作者名を含む制作者情報の入力に基づいて事前に登録された制作者が自身のアプリケーションをアップロードできるサーバーから、アプリケーションをダウンロードする制御部１１と、悪意があると看做される制作者の名前が登録される制作者データベース１２ｂと、を備える。ここで、制御部１１は、サーバーからダウンロードされるアプリケーションに付帯する制作者名が制作者データベース１２ｂに登録されている場合、その制作者名が付帯されたアプリケーションがダウンロードされるのを抑制するための抑制処理を行う。【選択図】図２
2015104012.tif 000002
【特許請求の範囲】
【請求項１】
制作者名を含む制作者情報の入力に基づいて事前に登録された制作者が自身のアプリケーションをアップロードできるサーバーから、アプリケーションをダウンロードするダウンロード実行部と、
悪意があると看做される制作者の名前が登録される登録部と、を備え、
前記ダウンロード実行部は、前記サーバーからダウンロードされるアプリケーションに付帯する制作者名が前記登録部に登録されている場合、前記制作者名が付帯されたアプリケーションがダウンロードされるのを抑制するための抑制処理を行う、
ことを特徴とする携帯端末装置。
【請求項２】
請求項１に記載の携帯端末装置において、
前記ダウンロード実行部は、前記抑制処理として、前記制作者名が付帯されたアプリケーションがダウンロードされる前に警告を行う、
ことを特徴とする携帯端末装置。
【請求項３】
請求項２に記載の携帯端末装置において、
前記ダウンロード実行部は、前記警告の後にダウンロードを許可する操作がなされた場合に、前記警告の対象のアプリケーションをダウンロードする、
ことを特徴とする携帯端末装置。
【請求項４】
請求項１に記載の携帯端末装置において、
前記ダウンロード実行部は、前記抑制処理として、前記制作者名が付帯されたアプリケーションがダウンロードされることを中止する、
ことを特徴とする携帯端末装置。
【請求項５】
請求項１ないし４の何れか一項に記載の携帯端末装置において、
表示部と、
前記登録部に前記制作者名を登録する登録制御部と、をさらに備え、
前記登録制御部は、前記携帯端末装置に既にダウンロードされているアプリケーションの一覧を前記表示部に表示し、前記一覧から選択されたアプリケーションに付帯する制作者名を前記登録部に登録する、
ことを特徴とする携帯端末装置。
【請求項６】
制作者名を含む制作者情報の入力に基づいて事前に登録された制作者が自身のアプリケーションをアップロードできるサーバーから、アプリケーションがダウンロードされる際に実行されるダウンロード抑制方法であって、
前記サーバーからダウンロードされるアプリケーションに付帯する制作者名が、悪意があると看做される制作者の名前が登録される登録部に登録されているか否かを判定するステップと、
前記制作者名が前記登録部に登録されている場合、前記制作者名が付帯されたアプリケーションがダウンロードされるのを抑制するための抑制処理を行うステップと、を含む、ことを特徴とするダウンロード抑制方法。
【請求項７】
制作者名を含む制作者情報の入力に基づいて事前に登録された制作者が自身のアプリケーションをアップロードできるサーバーから、アプリケーションをダウンロードする携帯端末装置のコンピュータに、
前記サーバーからダウンロードされるアプリケーションに付帯する制作者名が、悪意があると看做される制作者の名前が登録される登録部に登録されているか否かを判定する機能と、
前記制作者名が前記登録部に登録されている場合、前記制作者名が付帯されたアプリケーションがダウンロードされるのを抑制するための抑制処理を行う機能と、を付与する、ことを特徴とするプログラム。
【発明の詳細な説明】
【技術分野】
【０００１】
本発明は、携帯電話機、ＰＤＡ（Personal Digital Assistant）、タブレットＰＣ（Tablet PC）等の携帯端末装置に関する。また、本発明は、かかる携帯端末装置に適用することができるダウンロード抑制方法およびプログラムに関する。
【背景技術】
【０００２】
近年、悪意のある第三者がユーザを本物のウェブサイトを装った偽りのウェブサイトへと誘導し、偽りのウェブサイト上で、ユーザにクレジットカード番号、ＩＤ、パスワード等の個人情報を入力させて、これら個人情報を盗み取る、いわゆる、フィッシング詐欺が横行している。たとえば、ユーザが、悪意のある第三者から偽りのウェブサイトのＵＲＬが貼り付いた電子メールを受け取り、そのＵＲＬに誤って接続すると、ユーザは、偽りのウェブサイトへと誘導されてしまう。また、ユーザが、アプリケーションを提供するサーバー（ウェブサイト）から悪意のあるアプリケーションをダウンロードしてしまい、そのアプリケーションを起動することで、ユーザが偽りのウェブサイトへと誘導されてしまう場合も多い。
【０００３】
このようなフィッシング詐欺への対策として、ウェブサイトへの接続に先駆けて、接続先のＵＲＬが、危険性のあるウェブサイトのＵＲＬが登録された照合表に存在するか否かを確認し、照合表に存在する場合に、そのＵＲＬのウェブサイトへ接続しない構成が採られ得る。別の態様としてはウェブサイトへの接続に先駆けて、接続先のＵＲＬが、信頼のおけるウェブサイトのＵＲＬが登録された照合表に存在するか否かを確認し、照合表に存在する場合に、そのＵＲＬのウェブサイトへ接続する構成が採られ得る（特許文献１参照）。
【先行技術文献】
【特許文献】
【０００４】
【特許文献１】特開２００７−０６５７３１号公報
【発明の概要】
【発明が解決しようとする課題】
【０００５】
ＵＲＬは容易に変更できるため、危険性のあるウェブサイトのＵＲＬを照合表に登録する構成の場合、危険性のあるウェブサイトのＵＲＬが少しでも変更されると、再び、危険と看做されて照合表に登録されるまで、ユーザは、フィッシング詐欺の危険に晒されることとなりため、フィッシング詐欺の防止が図られにくい。
【０００６】
上述のように、悪意のあるアプリケーションを利用したフィッシング詐欺も多い。よって、このような悪意のあるアプリケーションのダウンロードを抑制できれば、フィッシング詐欺の防止に繋がると考えられる。
【０００７】
本発明は、携帯端末装置において、フィッシング詐欺へと繋がり得る、悪意がある制作者によるアプリケーションのダウンロードを抑制することを目的とする。
【課題を解決するための手段】
【０００８】
本発明の第１の態様は、携帯端末装置に関する。本態様に係る携帯端末装置は、制作者名を含む制作者情報の入力に基づいて事前に登録された制作者が自身のアプリケーションをアップロードできるサーバーから、アプリケーションをダウンロードするダウンロード実行部と、悪意があると看做される制作者の名前が登録される登録部と、を備える。ここ
で、前記ダウンロード実行部は、前記サーバーからダウンロードされるアプリケーションに付帯する制作者名が前記登録部に登録されている場合、前記制作者名が付帯されたアプリケーションがダウンロードされるのを抑制するための抑制処理を行う。
【０００９】
本態様に係る携帯端末装置において、前記ダウンロード実行部は、前記抑制処理として、前記制作者名が付帯されたアプリケーションがダウンロードされる前に警告を行う構成とされ得る。
【００１０】
上記の構成とされた場合、さらに、前記ダウンロード実行部は、前記警告の後にダウンロードを許可する操作がなされた場合に、前記警告の対象のアプリケーションをダウンロードする構成とされ得る。
【００１１】
本態様に係る携帯端末装置において、前記ダウンロード実行部は、前記抑制処理として、前記制作者名が付帯されたアプリケーションがダウンロードされることを中止する構成とされ得る。
【００１２】
本態様に係る携帯端末装置は、表示部と、前記登録部に前記制作者名を登録する登録制御部と、をさらに備え得る。この場合、前記登録制御部は、前記携帯端末装置に既にダウンロードされているアプリケーションの一覧を前記表示部に表示し、前記一覧から選択されたアプリケーションに付帯する制作者名を前記登録部に登録する。
【００１３】
本発明の第２の態様は、制作者名を含む制作者情報の入力に基づいて事前に登録された制作者が自身のアプリケーションをアップロードできるサーバーから、アプリケーションがダウンロードされる際に実行されるダウンロード抑制方法に関する。本態様に係るダウンロード抑制方法は、前記サーバーからダウンロードされるアプリケーションに付帯する制作者名が、悪意があると看做される制作者の名前が登録される登録部に登録されているか否かを判定するステップと、前記制作者名が前記登録部に登録されている場合、前記制作者名が付帯されたアプリケーションがダウンロードされるのを抑制するための抑制処理を行うステップと、を含む。
【００１４】
本発明の第３の態様は、携帯端末装置に適用されるプログラムに関する。本態様に係るプログラムは、制作者名を含む制作者情報の入力に基づいて事前に登録された制作者が自身のアプリケーションをアップロードできるサーバーから、アプリケーションをダウンロードする携帯端末装置のコンピュータに、前記サーバーからダウンロードされるアプリケーションに付帯する制作者名が、悪意があると看做される制作者の名前が登録される登録部に登録されているか否かを判定する機能と、前記制作者名が前記登録部に登録されている場合、前記制作者名が付帯されたアプリケーションがダウンロードされるのを抑制するための抑制処理を行う機能と、を付与する。
【００１５】
なお、特許請求の範囲において、「制作者の名前」および「制作者名）」の概念には、制作者の個人名（氏名）のみならず、制作会社名が含まれる。
【発明の効果】
【００１６】
本発明によれば、フィッシング詐欺へと繋がり得る、悪意がある制作者によるアプリケーションのダウンロードを抑制できる。
【００１７】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１８】
【図１】実施の形態に係る、携帯電話機の構成を示す図である。
【図２】実施の形態に係る、携帯電話機の全体構成を示すブロック図、および、制作者データベースの構成を示す図である。
【図３】実施の形態に係る、ホーム画面が表示されたディスプレイを示す図である。
【図４】実施の形態に係る、アプリケーションダウンロード処理を示すフローチャートである。
【図５】実施の形態に係る、マーケット画面および詳細情報画面の一例を示す図である。
【図６】実施の形態に係る、詳細情報画面に重ねられる警告ウィンドウおよび詳細情報画面に重ねられる中止メッセージウィンドウの一例を示す図である。
【図７】実施の形態に係る、アプリケーションダウンロード処理に含まれる悪意制作者登録処理を示すフローチャートである。
【図８】実施の形態に係る、登録候補表示画面および登録候補表示画面に重ねられる登録確認ウィンドウの一例を示す図である。
【図９】実施の形態に係る、アプリケーションダウンロード処理に含まれる悪意制作者削除処理を示すフローチャートである。
【図１０】実施の形態に係る、削除候補表示画面および削除候補表示画面に重ねられる削除確認ウィンドウの一例を示す図である。
【図１１】変更例１に係る、アプリケーションダウンロード処理を示すフローチャート、および、詳細情報画面に重ねられる中止メッセージウィンドウの一例を示す図である。
【図１２】変更例２に係る、登録候補表示画面および制作者入力画面の一例を示す図である。
【図１３】変更例３に係る、詳細情報画面に重ねられる削除ウィンドウの一例を示す図である。
【発明を実施するための形態】
【００１９】
以下、本発明の実施の形態について、図面を参照して説明する。
【００２０】
図１（ａ）ないし（ｃ）は、それぞれ、携帯電話機１の正面図、背面図および右側面図である。以下、説明の便宜上、図１（ａ）ないし（ｃ）に示すように、キャビネット２の長手方向を上下方向と定義し、キャビネット２の短手方向を左右方向と定義する。さらに、これら上下方向および左右方向に垂直な方向を前後方向と定義する。
【００２１】
図１（ａ）ないし（ｃ）に示されるように、携帯電話機１は、キャビネット２と、ディスプレイ３と、タッチパネル４と、マイクロフォン５と、通話スピーカ６と、外部スピーカ７とを含む。
【００２２】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２３】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネッ
ト２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２４】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２５】
図２（ａ）は、携帯電話機１の全体構成を示すブロック図である。
【００２６】
図２（ａ）に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９を含む。
【００２７】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種のアプリケーション、たとえば、電話、メッセージ、ウェブブラウザ、地図、ゲーム、スケジュール管理、等のアプリケーション、および後述するアプリケーションダウンロード処理が実行されるアプリケーションダウンロードのアプリケーションを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００２８】
記憶部１２には、プログラムの実行の際、一時的に利用または生成されるデータを記憶するワーキング領域も含まれる。
【００２９】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９等）を制御する。
【００３０】
画像出力部１３は、図１（ａ）に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００３１】
タッチ検出部１４は、図１（ａ）に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。タッチパネル４に対するタッチ操作は、ディスプレイ３に表示される画面やオブジェクトを対象として行われるものであり、ディスプレイ３に対するタッチ操作である、と言い換えることができる。
【００３２】
なお、タッチ検出部１４は、ユーザの指がディスプレイ３、すなわち、タッチパネル４に近接したときに、指が近接した位置をタッチ位置として検出する構成であってもよい。たとえば、タッチ検出部１４のタッチパネル４が、静電容量式である場合、指がタッチパネル４に近接したときに静電容量の変化が検出閾値を超えるように、その感度が調整される。また、タッチパネル４を含むキャビネット２の正面が、ガラス等で構成される透明なカバーで覆われる場合、タッチパネル４へ触れようとする指はタッチパネル４でなくカバ
ーに接触する。この場合、タッチパネル４は、指がカバーに接触したとき、あるいはカバーに近接したときにタッチ位置を検出する。
【００３３】
ユーザは、タッチパネル４が設けられることにより、タッチパネル４に指を触れるあるいは近接させることにより、ディスプレイ３に対し様々なタッチ操作を行うことができる。タッチ操作は、たとえば、タップ操作、フリック操作、スライド操作等を含む。タップ操作とは、ユーザがタッチパネル４に指を接触あるいは近接させた後、短時間のうちに指をタッチパネル４から離す操作である。フリック操作とは、ユーザがタッチパネル４に指を接触あるいは近接させた後、タッチパネル４を指で任意の方向に弾くあるいは掃う操作である。スライド操作とは、ユーザがタッチパネル４に指を接触あるいは近接させたまま、任意の方向へ指を移動させる操作である。
【００３４】
たとえば、タッチ検出部１４がタッチ位置を検出した場合に、タッチ位置が検出されてから予め定められた第１時間以内にタッチ位置が検出されなくなると、制御部１１は、タッチ操作をタップ操作と判定する。タッチ位置が検出されてから予め定められた第２時間以内に予め定められた第１距離以上タッチ位置が移動した後、タッチ位置が検出されなくなった場合、制御部１１は、タッチ操作をフリック操作と判定する。タッチ位置が検出された後、予め定めた第２距離以上タッチ位置が移動すると、制御部１１は、タッチ操作をスライド操作と判定する。
【００３５】
音声入力部１５は、マイクロフォン５を含む。音声入力部１５は、マイクロフォン５からの電気信号を音声処理部１７へ出力する。
【００３６】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００３７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００３８】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００３９】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４０】
図３は、ホーム画面１０１が表示されたディスプレイ３を示す図である。
【００４１】
携帯電話機１では、種々の画面がディスプレイ３に表示され、画面上においてユーザにより種々のタッチ操作がなされる。たとえば、初期画面として、ホーム画面１０１がディスプレイ３に表示される。図３に示すように、ホーム画面１０１は、各種のアプリケーションを起動するための起動用アイコン１０１ａを含む。起動用アイコン１０１ａには、たとえば、電話アイコン１０１ｂ、メールアイコン１０１ｃ、アプリケーションダウンロードアイコン１０１ｄ（以下、「ＤＬアイコン１０１ｄ」と略す）等が含まれる。
【００４２】
ディスプレイ３には、ホーム画面１０１に加えて、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。操作キー群１０３は、ホーム画面１０１の下方に表示される。操作キー群１０３は、設定キー１０３ａ、ホームキー１０３ｂおよびバックキー１０３ｃから構成されている。設定キー１０３ａは、主に、各種設定を行う設定画面をディスプレイ３に表示させるためのキーである。ホームキー１０３ｂは、主に、ディスプレイ３の表示を他の画面からホーム画面１０１に移行させるためのキーである。バックキー１０３ｃは、主に、実行された処理を１ステップ前の処理に戻すためのキーである。
【００４３】
各種アプリケーションを利用する場合、ユーザは、利用するアプリケーションに対応する起動用アイコン１０１ａに対してタップ操作を行う。アプリケーションが起動されて、アプリケーションに基づく実行画面が表示される。なお、実行されたアプリケーションの実行画面が表示されても、あるいは、アプリケーションの進行に伴って実行画面が遷移しても、通知バー１０２および操作キー群１０３は、ディスプレイ３に表示され続ける。
【００４４】
さて、携帯電話機１では、制御部１１が、アプリケーションを無料あるいは有料で提供するダウンロードサイトのサーバーから、ユーザがダウンロードサイトの画面上で選択したアプリケーションをダウンロードする。ダウンロードサイト上にアップロードされたアプリケーションの中に、フィッシング詐欺のための悪意のあるアプリケーションが含まれる場合がある。ユーザは、悪意のあるアプリケーションをダウンロードしてしまうと、そのアプリケーションが起動されることで、本物のウェブサイトを装った偽りのウェブサイトへと誘導され、偽りのウェブサイト上で、クレジットカード番号、ＩＤ、パスワード等の個人情報を盗み取られてしまう虞がある。
【００４５】
携帯電話機１がアプリケーションを取得するダウンロードサイトでは、制作者が自身のアプリケーションのアップロードを行うために、事前に厳密な登録作業が必要となる。すなわち、制作者は、登録のために、制作者の名前（制作者名）を含む制作者情報の入力および登録費の支払いが必要となる。このため、悪意のある制作者は、自身のアプリケーションによって導くウェブサイトのＵＲＬを変更するのに比べて、制作者名を変更しづらい。制作者名は、制作者がアプリケーションをダウンロードサイトにアップロードする際にアプリケーションに付帯する必要がある。付帯された制作者名が事前に登録された制作者名と異なれば、そのアプリケーションのアップロードがダウンロードサイトにより拒否される。なお、制作者が個人であれば、制作者名は制作者の個人名となり、制作者が会社であれば、制作者名は制作会社名となる。
【００４６】
上記のように、アプリケーションに付帯される制作者名は比較的に変更されにくい。本実施の形態では、このような点に着目して実現されたアプリケーションダウンロードのアプリケーション（以下、「ＤＬアプリケーション」と略す）が、携帯電話機１に搭載されている。ＤＬアプリケーションによれば、悪意があると看做される制作者の名前（制作者名）が予め登録され、ダウンロードサイトからダウンロードされるアプリケーションの制作者名が、登録された制作者名に一致する場合に、そのアプリケーションのダウンロードが抑制される。ＤＬアプリケーションは、ＤＬアイコン１０１ｄに対するタップ操作により起動する。ＤＬアプリケーションが起動すると、アプリケーションダウンロード処理が、制御部１１により実行される。
【００４７】
図２（ａ）に戻り、記憶部１２は、ダウンロード保存部１２ａ（以下、「ＤＬ保存部１２ａ」と略す）および制作者データベース１２ｂ（以下、「制作者ＤＢ１２ｂ」と略す）を含む。ＤＬ保存部１２ａには、ダウンロードサイトからダウンロードされたアプリケー
ションが保存される。また、ＤＬ保存部１２ａには、アプリケーションに付帯した情報が保存される。付帯情報は、アプリケーション名、アプリケーションアイコン、バージョン情報、データ容量の他、製作者名、製作者のホームページのＵＲＬ、制作者のメールアドレスなどの制作者情報を含む。
【００４８】
図２（ｂ）は、制作者ＤＢ１２ｂの構成を示す図である。制作者ＤＢ１２ｂには、後述する悪意制作者登録処理により、悪意があると看做される制作者の名前（制作者名）が登録される。
【００４９】
図４は、アプリケーションダウンロード処理を示すフローチャートである。図５（ａ）および（ｂ）は、それぞれ、マーケット画面１０４および詳細情報画面１０７の一例を示す図である。図６（ａ）および（ｂ）は、それぞれ、詳細情報画面１０７に重ねられる警告ウィンドウ１０９および詳細情報画面１０７に重ねられる中止メッセージウィンドウ１１０の一例を示す図である。以下、アプリケーションダウンロード処理について説明する。
【００５０】
図４を参照し、アプリケーションダウンロード処理が開始されると、制御部１１は、ＵＲＬが予め登録されたダウンロードサイト（サーバー）へ接続する（Ｓ１０１）。制御部１１は、画像出力部１３を制御して、ダウンロードサイトから取得したマーケット画面１０４をディスプレイ３に表示する（Ｓ１０２）。
【００５１】
図５（ａ）に示すように、マーケット画面１０４は、無料あるいは有料で入手できる種々のアプリケーションに対応する選択用オブジェクト１０５を含む。選択用オブジェクト１０５は、アプリケーション独自の図案を有するアプリケーションアイコン１０５ａ、アプリケーション名１０５ｂおよび制作者名１０５ｃを含む。制御部１１は、マーケット画面１０４の下に、登録実行オブジェクト１０６ａおよび削除実行オブジェクト１０６ｂを配置する。登録実行オブジェクト１０６ａは、ユーザが、悪意があると看做される制作者の名前を、制作者ＤＢ１２ｂへ登録するときに操作される。削除実行オブジェクト１０６ｂは、ユーザが、制作者名を、制作者ＤＢ１２ｂから削除するときに操作される。
【００５２】
制御部１１は、何れかのアプリケーションが選択されたか否かを監視する（Ｓ１０３）。ユーザは、選択用オブジェクト１０５に対するタップ操作により、ダウンロードを希望するアプリケーションを選択する。何れかのアプリケーションが選択されると（Ｓ１０３：ＹＥＳ）、制御部１１は、選択されたアプリケーションに係る詳細情報画面１０７を、ダウンロードサイトから取得し、ディスプレイ３に表示する（Ｓ１０４）。
【００５３】
図５（ｂ）に示すように、詳細情報画面１０７は、選択されたアプリケーションに付帯する情報が示されるとともに、ユーザによりダウンロードの操作が行われる画面である。詳細情報画面１０７は、マーケット画面１０４の選択用オブジェクト１０５と同様、アプリケーションアイコン１０７ａ、アプリケーション名１０７ｂおよび制作者名１０７ｃを含む。また、詳細情報画面１０７は、アプリケーションの料金１０７ｄ、アプリケーションの内容に関する説明１０７ｅ、および、アプリケーションの一部の画面で構成されるスクリーンショット１０７ｆを含む。さらに、詳細情報画面１０７は、ダウンロードオブジェクト１０８（以下、「ＤＬオブジェクト１０８」と略す）を含む。ＤＬオブジェクト１０８は、ユーザが、選択したアプリケーションをダウンロードするときに操作される。
【００５４】
制御部１１は、選択されたアプリケーションをダウンロードするための操作、すなわち、ＤＬオブジェクト１０８に対するタップ操作がなされたか否か、および、戻し操作、たとえば、バックキー１０３ｃに対するタップ操作がなされたか否かを監視する（Ｓ１０５、Ｓ１０６）。ユーザは、料金など詳細な情報を確認した後、ダウンロードを行うと決め
ると、ダウンロードのための操作を行う。一方、ユーザは、詳細な情報を確認した結果、ダウンロードを行わないと決めると、戻し操作を行う。
【００５５】
ダウンロードのための操作がなされると（Ｓ１０５：ＹＥＳ）、制御部１１は、選択されたアプリケーション、すなわち、ダウンロードされるアプリケーションに付帯した制作者名を制作者ＤＢ１２ｂと照合する（Ｓ１０７）。制作者名が制作者ＤＢ１２ｂに登録されていない場合（Ｓ１０８：ＮＯ）、制御部１１は、選択されたアプリケーションおよび付帯情報をダウンロードする（Ｓ１１１）。すなわち、制御部１１は、通信部１９を介してダウンロードサイトへアプリケーションの送信要求信号を送り、通信部１９がダウンロードサイトからアプリケーションおよび付帯情報を受信すると、受信したアプリケーションおよび付帯情報を、アプリケーション毎にＤＬ保存部１２ａに用意されたフォルダに保存する。ダウンロード中、通知バー１０２に、ダウンロード中であることを示す表示、たとえば、矢印が移動するような表示やプログレスバーによる表示が行われる。
【００５６】
一方、制作者名が制作者ＤＢ１２ｂに登録されている場合（Ｓ１０８：ＹＥＳ）、制御部１１は、警告ウィンドウ１０９を詳細情報画面１０７に重ねてディスプレイ３に表示し、ユーザへ警告を行う（Ｓ１０９）。図６（ａ）に示すように、警告ウィンドウ１０９は、警告文章１０９ａ、許可オブジェクト１０９ｂおよび中止オブジェクト１０９ｃを含む。警告文章１０９ａは、ダウンロードされるアプリケーションの制作者が悪意のある制作者として登録されていることを警告した上で、ダウンロードを行って良いかユーザに確認する文章である。
【００５７】
制御部１１は、警告対象であるアプリケーションのダウンロードを許可する操作がなされたか、中止する操作がなされたかを判定する（Ｓ１１０）。ユーザは、警告対象であるアプリケーションをダウンロードするときに、許可操作として、許可オブジェクト１０９ｂに対するタップ操作を行う。制御部１１は、許可操作が行われたと判定すると（Ｓ１１０：許可）、アプリケーションをダウンロードする（Ｓ１１１）。制御部１１は、ダウンロードを開始すると、警告ウィンドウ１０９を閉じる。
【００５８】
ユーザは、警告対象であるアプリケーションのダウンロードを中止するときに、中止操作として、中止オブジェクト１０９ｃに対するタップ操作を行う。制御部１１は、中止操作が行われたと判定すると（Ｓ１１０：中止）、アプリケーションのダウンロードを中止し、警告ウィンドウ１０９に代えて、中止メッセージウィンドウ１１０を、詳細情報画面１０７に重ねてディスプレイ３に表示する（Ｓ１１２）。図６（ｂ）に示すように、中止メッセージウィンドウ１１０は、ダウンロードが中止された旨の通知文章１１０ａを含む。
【００５９】
アプリケーションのダウンロードが完了すると、あるいは、ダウンロードが中止されると、制御部１１は、詳細情報画面１０７を閉じて、ステップＳ１０２の処理に戻り、再び、マーケット画面１０４をディスプレイ３に表示し、アプリケーションの選択を待つ。
【００６０】
ステップＳ１０６において、戻し操作がなされたと判定された場合も（Ｓ１０６：ＹＥＳ）、制御部１１は、ステップＳ１０２の処理へ戻る。
【００６１】
制御部１１は、マーケット画面１０４が表示されているとき、悪意があると看做される制作者を登録するための登録操作、すなわち登録実行オブジェクト１０６ａに対するタップ操作がなされたか否かを監視する（Ｓ１１３）。さらに、制御部１１は、悪意がある制作者として登録された制作者の名前を制作者ＤＢ１２ｂから削除するための削除操作、すなわち削除実行オブジェクト１０６ｂに対するタップ操作がなされたか否かを監視する（Ｓ１１４）。さらに、制御部１１は、ＤＬアプリケーションを終了するための終了操作、
たとえば、バックキー１０３ｃに対するタップ操作がなされたか否かを監視する（Ｓ１１５）。
【００６２】
マーケット画面１０４において登録操作が行われると（Ｓ１１３：ＹＥＳ）、制御部１１は、悪意制作者登録処理を実行する（Ｓ１１６）。
【００６３】
図７は、アプリケーションダウンロード処理に含まれる悪意制作者登録処理を示すフローチャートである。図８（ａ）および（ｂ）は、それぞれ、登録候補表示画面１１１および登録候補表示画面１１１に重ねられる登録確認ウィンドウ１１３の一例を示す図である。
【００６４】
図７を参照し、制御部１１は、過去にダウンロードされてＤＬ保存部１２ａに保存されているアプリケーションの一覧から構成される登録候補表示画面１１１をディスプレイ３に表示する（Ｓ２０１）。図８（ａ）に示すように、登録候補表示画面１１１は、各アプリケーションに対応する登録候補オブジェクト１１２を含む。登録候補オブジェクト１１２は、アプリケーションアイコン１１２ａ、アプリケーション名１１２ｂ、制作者名１１２ｃおよびデータ容量１１２ｄを含む。
【００６５】
制御部１１は、何れかのアプリケーションが選択されたか否かを監視する（Ｓ２０２）。ユーザは、登録候補オブジェクト１１２に対するタップ操作により、悪意があると看做される制作者が作成したアプリケーションを選択する。ユーザは、過去、自身が実際にアプリケーションを実行し、危険な目に遭うことにより、そのアプリケーションの制作者が悪意のある制作者であると認識することが多いと考えられる。このような一度危険な目に遭ったアプリケーションが、ダウンロード済みのアプリケーション群の中に残されている場合が多く、ユーザは、そのアプリケーションを選択することとなる。
【００６６】
何れかのアプリケーションが選択されると（Ｓ２０２：ＹＥＳ）、制御部１１は、登録確認ウィンドウ１１３を登録候補表示画面１１１に重ねてディスプレイ３に表示する（Ｓ２０３）。図８（ｂ）に示すように、登録確認ウィンドウ１１３は、ユーザに登録の確認を促す確認文章１１３ａ、登録オブジェクト１１３ｂおよび取消オブジェクト１１３ｃを含む。
【００６７】
登録操作として、登録オブジェクト１１３ｂに対するタップ操作がなされると（Ｓ２０４：登録）、制御部１１は、選択されたアプリケーションの制作者名を制作者ＤＢ１２ｂに登録する（Ｓ２０５）。制御部１１は、登録確認ウィンドウ１１３を閉じて、ステップＳ２０２の処理に戻り、再び、アプリケーションの選択を待つ。
【００６８】
一方、取消操作として、取消オブジェクト１１３ｃに対するタップ操作がなされると（Ｓ２０４：取消）、制御部１１は、選択されたアプリケーションの制作者名を制作者ＤＢ１２ｂへ登録せず、登録確認ウィンドウ１１３を閉じて、ステップＳ２０２の処理に戻る。
【００６９】
登録候補表示画面１１１が表示されているときに、制御部１１は、戻し操作、たとえば、バックキー１０３ｃに対するタップ操作がなされたか否かを監視する（Ｓ２０６）。ユーザは、制作者ＤＢ１２ｂへの制作者名の登録を完了すると、戻し操作を行う。制御部１１は、戻し操作がなされたと判定すると（Ｓ２０６：ＹＥＳ）、悪意制作者登録処理を終了する。
【００７０】
図４に戻り、マーケット画面１０４において削除操作が行われると（Ｓ１１４：ＹＥＳ）、制御部１１は、悪意制作者削除処理を実行する（Ｓ１１７）。
【００７１】
図９は、アプリケーションダウンロード処理に含まれる悪意制作者削除処理を示すフローチャートである。図１０（ａ）および（ｂ）は、それぞれ、削除候補表示画面１１４および削除候補表示画面１１４に重ねられる削除確認ウィンドウ１１６の一例を示す図である。
【００７２】
図９を参照し、制御部１１は、制作者ＤＢ１２ｂに登録されている制作者名の一覧から構成される削除候補表示画面１１４をディスプレイ３に表示する（Ｓ３０１）。図１０（ａ）に示すように、削除候補表示画面１１４は、各制作者名が表わされた削除候補オブジェクト１１５を含む。
【００７３】
制御部１１は、何れかの制作者名が選択されたか否かを監視する（Ｓ３０２）。ユーザは、削除候補オブジェクト１１５に対するタップ操作により、削除すべき制作者名を選択する。
【００７４】
何れかの制作者名が選択されると（Ｓ３０２：ＹＥＳ）、制御部１１は、削除確認ウィンドウ１１６を削除候補表示画面１１４に重ねてディスプレイ３に表示する（Ｓ３０３）。図１０（ｂ）に示すように、削除確認ウィンドウ１１６は、ユーザに削除の確認を促す確認文章１１６ａ、削除オブジェクト１１６ｂおよび取消オブジェクト１１６ｃを含む。
【００７５】
削除操作として、削除オブジェクト１１６ｂに対するタップ操作がなされると（Ｓ３０４：削除）、制御部１１は、選択された制作者名を制作者ＤＢ１２ｂから削除する（Ｓ３０５）。制御部１１は、削除確認ウィンドウ１１６を閉じて、ステップＳ３０２の処理に戻り、再び、制作者名の選択を待つ。
【００７６】
一方、取消操作として、取消オブジェクト１１６ｃに対するタップ操作がなされると（Ｓ３０４：取消）、制御部１１は、選択された制作者名を制作者ＤＢ１２ｂから削除せず、削除確認ウィンドウ１１６を閉じて、ステップＳ３０２の処理に戻る。
【００７７】
削除候補表示画面１１４が表示されているときに、制御部１１は、戻し操作、たとえば、バックキー１０３ｃに対するタップ操作がなされたか否かを監視する（Ｓ３０６）。ユーザは、制作者ＤＢ１２ｂからの制作者名の削除を完了すると、戻し操作を行う。制御部１１は、戻し操作がなされたと判定すると（Ｓ３０６：ＹＥＳ）、悪意制作者削除処理を終了する。
【００７８】
ユーザは、所望のアプリケーションのダウンロード、制作者ＤＢ１２ｂへの制作者名の登録、あるいは、制作者ＤＢ１２ｂからの制作者名の削除を完了すると、マーケット画面１０４において終了操作を行う。
【００７９】
図４に戻り、制御部１１は、終了操作がなされたと判定すると（Ｓ１１５：ＹＥＳ）、ダウンロードサイトへの接続を解除し（Ｓ１１８）、アプリケーションダウンロード処理を終了する。
【００８０】
本実施の形態によれば、ダウンロードされるアプリケーションの制作者が、制作者ＤＢ１２ｂに登録されている場合に、ディスプレイ３に警告ウィンドウ１０９が表示され、ユーザへの警告が行われる。ユーザは、フィッシング詐欺に繋がる危険なアプリケーションのダウンロードを中止することで、危険なアプリケーションがダウンロードされるのを抑制することができる。
【００８１】
さらに、本実施の形態によれば、ユーザは、警告ウィンドウ１０９において、ダウンロ
ードを許可する操作を行えば、警告対象のアプリケーションをダウンロードできる。ユーザは、制作者ＤＢ１２ｂに登録した制作者が、実際には悪意がある制作者でないと気付いた場合に、制作者ＤＢ１２ｂから制作者名を削除しなくても、その制作者が作成したアプリケーションのダウンロードを行うことができる。
【００８２】
さらに、本実施の形態によれば、過去にダウンロードされたアプリケーションの一覧（登録候補表示画面１１１）から、悪意があると看做される制作者が作成したアプリケーションを選択することにより、その制作者の名前（個人名、会社名）を制作者ＤＢ１２ｂに登録できる。よって、ユーザは登録作業を容易に行うことができる。
【００８３】
以上、本発明の実施の形態について説明したが、本発明は、上記実施の形態によって何ら制限されるものではなく、また、本発明の実施の形態も、上記以外に種々の変更が可能である。
【００８４】
＜変更例１＞
上記実施の形態では、ダウロードされるアプリケーションの制作者名が制作者ＤＢ１２ｂに登録されている場合に、警告ウィンドウ１０９による警告が行われ、警告ウィンドウ１０９において、ユーザにより中止の操作がなされると、ダウンロードが中止される。
【００８５】
これに対し、本変更例では、ダウロードされるアプリケーションの制作者名が制作者ＤＢ１２ｂに登録されている場合に、警告が行われることなくダウンロードが中止される。
【００８６】
図１１（ａ）は、本変更例に係る、アプリケーションダウンロード処理を示すフローチャートである。図１１（ｂ）は、詳細情報画面１０７に重ねられる中止メッセージウィンドウ１１７の一例を示す図である。
【００８７】
図１１（ａ）のアプリケーションダウンロード処理では、図４のアプリケーションダウンロード処理におけるステップＳ１０９およびステップＳ１０３の処理が削除される。なお、便宜上、図１１（ａ）では、図７のフローチャートと異なる箇所のみが記載されている。
【００８８】
本変更例では、制作者名が制作者ＤＢ１２ｂに登録されている場合（Ｓ１０８：ＹＥＳ）、制御部１１は、アプリケーションのダウンロードを中止し、警告ウィンドウ１０９に代えて、中止メッセージウィンドウ１１７を、詳細情報画面１０７に重ねてディスプレイ３に表示する（Ｓ１１２）。図１１（ｂ）に示すように、中止メッセージウィンドウ１１７は、悪意のある制作者が作成したアプリケーションである虞があるためにアプリケーションのダウンロ-ドが中止された旨の通知文章１１７ａを含む。
【００８９】
本変更例によれば、上記実施の形態と同様、フィッシング詐欺に繋がる危険なアプリケーションがダウンロードされるのを抑制することができる。
【００９０】
＜変更例２＞
上記実施の形態では、過去にダウンロードされたアプリケーションの一覧から構成された登録候補表示画面１１１から、所望のアプリケーションを選択することにより、選択されたアプリケーションの制作者名が制作者ＤＢ１２ｂに登録される。本変更例では、一覧からのアプリケーションの選択だけでなく、ユーザが、直接、制作者名を入力することにより、入力された制作者名が制作者ＤＢ１２ｂに登録される。
【００９１】
図１２（ａ）および（ｂ）は、それぞれ、本変更例に係る、登録候補表示画面１１１および制作者入力画面１１９の一例を示す図である。
【００９２】
本変更例では、図１２（ａ）に示すように、登録候補表示画面１１１が、制作者名を登録するための画面を切り替える切替オブジェクト１１８を含む。ユーザにより、切替操作として、切替オブジェクト１１８に対するタップ操作がなされると、制御部１１は、制作者入力画面１１９をディスプレイ３に表示する。
【００９３】
図１２（ｂ）に示すように、制作者入力画面１１９は、キーボード１１９ａ、表示ボックス１１９ｂおよび登録オブジェクト１１９ｃを含む。制御部１１は、キーボード１１９ａにより制作者名が入力されると、入力された制作者名を表示ボックス１１９ｂに表示する。制作者名の入力が完了した後に、登録操作として、登録オブジェクト１１９ｃに対するタップ操作がなされると、制御部１１は、入力された制作者名を制作者ＤＢ１２ｂに登録する。
【００９４】
制作者入力画面１１９は、切替オブジェクト１１８を含む。ユーザにより、切替操作として、切替オブジェクト１１８に対するタップ操作がなされると、制御部１１は、登録候補表示画面１１１をディスプレイ３に表示する。
【００９５】
本変更例によれば、ユーザは、過去にダウンロードされたアプリケーションの制作者以外の制作者を、制作者ＤＢ１２ｂに登録できる。
【００９６】
＜変更例３＞
図１３は、本変更例に係る、詳細情報画面１０７に重ねられる削除ウィンドウ１２０の一例を示す図である。
【００９７】
本変更例では、図６（ａ）に示す警告ウィンドウ１０９おいて許可操作がなされることによりアプリケーションのダウンロードが行われた場合、制御部１１は、警告ウィンドウ１０９を閉じた後に、詳細情報画面１０７に重ねて削除ウィンドウ１２０をディスプレイ３に表示する。削除ウィンドウ１２０は、ダウンロードされたアプリケーションの制作者名を制作者ＤＢ１２ｂから削除して良いかユーザに尋ねるための問合せ文章１２０ａ、削除オブジェクト１２０ｂおよび取消オブジェクト１２０ｃを含む。
【００９８】
制御部１１は、削除操作として、削除オブジェクト１２０ｂに対するタップ操作がなされた場合、ダウンロードされたアプリケーションの制作者名を制作者ＤＢ１２ｂから削除する。一方、制御部１１は、取消操作として、取消オブジェクト１２０ｃに対するタップ操作がなされた場合、ダウンロードされたアプリケーションの制作者名を制作者ＤＢ１２ｂから削除しない。
【００９９】
本変更例によれば、警告対象のアプリケーションがダウンロードされた場合、ダウンロードの後に、そのアプリケーションの制作者名を制作者ＤＢ１２ｂから削除するための画面（削除ウィンドウ１２０）がディスプレイ３に表示される。これにより、ユーザは、悪意のない制作者であると気付いて、アプリケーションをダウンロードした場合に、その制作者の名前を、制作者ＤＢ１２ｂから容易に削除することができる。
【０１００】
＜その他の変更例＞
上記実施の形態では、詳細情報画面１０７（図５（ｂ）参照）においてダウンロードのための操作（ＤＬオブジェクト１０８に対するタップ操作）が行われたときに、ダウンロードされるアプリケーションの制作者名が制作者ＤＢ１２ｂに登録されているか否かが判定され、この判定結果に基づいて警告ウィンドウ１０９による警告が行われる。しかしながら、登録の判定および警告は、ダウンロード前の適宜のタイミングにおいて行われて良い。たとえば、登録の判定および警告が、マーケット画面１０４においてアプリケーショ
ンが選択されたタイミングに行われても良い。なお、ダウンロードサイトによっては、マーケット画面１０４に、各アプリケーションに対応して、ダウンロード操作のためのオブジェクトが配される場合がある。この場合、各アプリケーションに係る詳細情報画面１０７は表示されず、マーケット画面１０４上で、ダウンロードのための操作が行われる。
【０１０１】
さらに、上記実施の形態では、警告ウィンドウ１０９（図６（ａ）参照）に、許可オブジェクト１０９ｂおよび中止オブジェクト１０９ｃの双方が配される。しかしながら、許可オブジェクト１０９ｂのみが配され、所定の制限時間内に許可オブジェクト１０９ｂに対するタップ操作がなされない場合に、ダウンロードが中止される構成が採られても良い。あるいは、中止オブジェクト１０９ｃのみが配され、所定の制限時間内に中止オブジェクト１０９ｃに対するタップ操作がなされない場合に、ダウンロードが開始される構成が採られても良い。
【０１０２】
さらに、悪意があると看做される制作者の名前を制作者ＤＢ１２ｂへ登録する方法は、上記実施の形態および変更例２のような、過去にダウンロードされたアプリケーションの一覧（登録候補表示画面１１１）からのアプリケーションの選択、および、制作者入力画面１１９での制作者名の直接入力に限られない。たとえば、悪意があると看做される制作者の名前が公開されているウェブサイトが存在する場合には、制御部１１が、そのウェブサイトから通信部１９を介して制作者名を取得し、取得した制作者名を制作者ＤＢ１２ｂへ登録しても良い。その他、様々な登録方法を用いることができる。
【０１０３】
上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１０４】
さらに、本発明は、携帯電話機に限られず、ＰＤＡ（Personal DigitalAssistant）、タブレットＰＣ（Tablet PC）等、種々の携帯端末装置に適用可能である。
【０１０５】
この他、本発明の実施形態は、特許請求の範囲に示された技術的思想の範囲内において、適宜、種々の変更が可能である。
【符号の説明】
【０１０６】
１１  制御部（ダウンロード実行部、登録制御部）
１２  記憶部
１２ｂ  制作者データベース（登録部）
１３  画像出力部（表示部）
【図１】
2015104012.tif 000003
【図２】
2015104012.tif 000004
【図３】
2015104012.tif 000005
【図４】
2015104012.tif 000006
【図５】
2015104012.tif 000007
【図６】
2015104012.tif 000008
【図７】
2015104012.tif 000009
【図８】
2015104012.tif 000010
【図９】
2015104012.tif 000011
【図１０】
2015104012.tif 000012
【図１１】
2015104012.tif 000013
【図１２】
2015104012.tif 000014
【図１３】
2015104012.tif 000015